(57)【要約】      （修正有）【課題】陳列什器に対してボビンのセット及び交換が容易で且つボビンをガタ付かずに安定保持可能な陳列スタンドを提供する。【解決手段】陳列什器Ａの什器本体１から片持ち状に突出して取り付けられる複数の支持ローラ２ａに対して、ボビンＢをその芯筒Ｂ１の内周面Ｂ２が各支持ローラ２ａの回転面２ｃとそれぞれ当接するように挿入することにより、ボビンＢが回転自在に支持され、長尺物品Ｃの引き出しに伴ってボビンＢが回転しても、ボビンＢ及びそれに巻かれた長尺物品Ｃの重量で位置ズレしない。【選択図】図１
2012100709.tif 000002
【特許請求の範囲】
【請求項１】
什器本体と、長尺物品が巻き取られた円筒状のボビンを回転自在に支持する支持部とを備えた陳列什器であって、
前記支持部は、前記ボビンに貫通状に挿通されて該ボビンの内周面と対向する支持ローラを有し、前記什器本体に対して前記支持ローラを複数それぞれの先端部が自由端となるように片持ち状に突出させて取り付け、前記支持ローラの回転面をそれぞれ前記ボビンの内周面において異なる個所に当接するように略平行に並べて配置したことを特徴とする陳列什器。
【請求項２】
前記支持ローラの前記先端部側から前記什器本体へ向けて斜め下方へ延びる支えアームを設け、該支えアームの下端を前記什器本体に連結したことを特徴とする請求項１記載の陳列什器。
【請求項３】
前記支持ローラを２本それらの間に間隔が空くように配置し、前記ボビンの前記内周面において前記支持ローラの当接個所とは異なる個所に当接する補助当接部を設け、該補助当接部を前記支持ローラとで前記ボビンの前記内周面が三点支持されるように配置したことを特徴とする請求項１又は２記載の陳列什器。
【請求項４】
請求項１、２又は３記載の陳列什器と、前記長尺物品が巻き取られた前記ボビンとからなる陳列スタンドであって、
前記ボビンは、円筒状の芯筒を有し、該芯筒の外周面に沿って前記長尺物品が巻き取られ、前記芯筒の前記内周面において異なる個所に、前記陳列什器の前記支持部となる前記複数の支持ローラをそれぞれ当接させて配置したことを特徴とする陳列スタンド。
【発明の詳細な説明】
【技術分野】
【０００１】
本発明は、例えばホースやチューブ又はロープなどの長尺物品を店頭などで陳列しながら適宜長さ分だけ引き出して販売するために用いられる陳列什器、及び、ホースなどの長尺物品が巻き取られたボビンと、このボビンを回転自在に支持する陳列什器とからなる陳列スタンドに関する。
【背景技術】
【０００２】
従来、この種の陳列什器及び陳列スタンドとして、対向状に連設させた一対の立設枠の対向面に、ボビン軸を回転可能に載架する軸受け凹部を具備した機枠と、ホースが巻回されてホースボビンの中芯に貫通状に挿入係止させるボビン支持回転体とで構成し、該ボビン支持回転体が、前記ボビン軸より同一寸法にて放射状に固着突出させ前記中芯の内周面に嵌入係止させる放射腕を具備し、ホースボビンの中芯内周面に対して、ボビン支持回転体のボビン軸から放射状に突出させた放射腕を嵌入圧接させることにより、ホースボビンにボビン軸が取付け保持されるホースボビン用什器がある（例えば、特許文献１参照）。
【先行技術文献】
【特許文献】
【０００３】
【特許文献１】実公平４−６６０５号公報
【発明の概要】
【発明が解決しようとする課題】
【０００４】
しかし乍ら、このような従来の陳列什器及び陳列スタンドでは、ボビンを回転可能に支持するにはボビンの中芯にボビン支持回転体を嵌入してから、ボビン支持回転体のボビン軸を機枠の軸受け凹部に載架しなければならず、ボビン支持回転体の嵌入作業に手間がかかるとともに、ホースが総て引き出されてボビンを交換する際にもボビン支持回転体を出し入れする必要があって、その作業が面倒であるという問題があった。
また、ホースが巻き付けられたボビンは重く、更にボビン支持回転体の重量が追加されるため、女性などの非力な作業者では持ち上げが困難で、ボビン軸を機枠の軸受け凹部に載架する作業が行えないという問題もあった。
【０００５】
本発明は、このような問題に対処することを課題とするものであり、ボビンのセット及び交換が容易で且つボビンをガタ付かずに安定保持可能な陳列什器を提供すること、陳列什器に対してボビンのセット及び交換が容易で且つボビンをガタ付かずに安定保持可能な陳列スタンドを提供すること、などを目的とするものである。
【課題を解決するための手段】
【０００６】
このような目的を達成するために本発明による陳列什器は、什器本体と、長尺物品が巻き取られた円筒状のボビンを回転自在に支持する支持部とを備えた陳列什器であって、前記支持部は、前記ボビンに貫通状に挿通されて該ボビンの内周面と対向する支持ローラを有し、前記什器本体に対して前記支持ローラを複数それぞれの先端部が自由端となるように片持ち状に突出させて取り付け、前記支持ローラの回転面をそれぞれ前記ボビンの内周面において異なる個所に当接するように略平行に並べて配置したことを特徴とする。
【０００７】
また本発明による陳列スタンドは、前記陳列什器と、前記長尺物品が巻き取られた前記ボビンとからなる陳列スタンドであって、前記ボビンは、円筒状の芯筒を有し、該芯筒の外周面に沿って前記長尺物品が巻き取られ、前記芯筒の前記内周面において異なる個所に、前記陳列什器の前記支持部となる前記複数の支持ローラをそれぞれ当接させて配置したことを特徴とする。
【発明の効果】
【０００８】
前述した特徴を有する本発明による陳列什器は、什器本体から支持部として片持ち状に突出して取り付けられる複数の支持ローラに対し、その先端部側からボビンをその内周面が各支持ローラの回転面とそれぞれ当接するように挿入して係止させることにより、ボビンが回転自在に支持され、長尺物品の引き出しに伴ってボビンが回転しても、ボビン及びそれに巻かれた長尺物品の重量で位置ズレしないので、ボビンのセット及び交換が容易で且つボビンをガタ付かずに安定保持することができる。
その結果、ボビンに対するボビン支持回転体の嵌入作業と、機枠に対するボビン支持回転体のボビン軸の載架作業が必要な従来のものに比べ、ボビンの芯筒に対してボビン支持回転体を嵌入する必要がないから、什器に対するボビンのセットや交換作業が素早く行えるとともに、長尺物品としてホースなどが巻き付けられたボビンにボビン支持回転体の重量分が追加されないので、女性などの非力な作業者であってもボビンが持ち上げ可能になって、什器に対するボビンのセットや交換作業を行うことができる。
【０００９】
また、前述した特徴を有する本発明による陳列スタンドは、陳列什器の什器本体から片持ち状に突出して取り付けられる複数の支持ローラに対して、ボビンをその芯筒の内周面が各支持ローラの回転面とそれぞれ当接するように挿入することにより、ボビンが回転自在に支持され、長尺物品の引き出しに伴ってボビンが回転しても、ボビン及びそれに巻かれた長尺物品の重量で位置ズレしないので、陳列什器に対してボビンのセット及び交換が容易で且つボビンをガタ付かずに安定保持することができる。
その結果、ボビンに対するボビン支持回転体の嵌入作業と、機枠に対するボビン支持回転体のボビン軸の載架作業が必要な従来のものに比べ、ボビンの芯筒に対してボビン支持回転体を嵌入する必要がないから、什器に対するボビンのセットや交換作業が素早く行えるとともに、長尺物品としてホースなどが巻き付けられたボビンにボビン支持回転体の重量分が追加されないので、女性などの非力な作業者であってもボビンが持ち上げ可能になって、什器に対するボビンのセットや交換作業を行うことができる。
【図面の簡単な説明】
【００１０】
【図１】本発明の実施形態に係る陳列什器及び陳列スタンドを示す斜視図である。
【図２】陳列什器の斜視図である。
【図３】支持部の一例を示す斜視図であり、（ａ）が外観斜視図、（ｂ）が分解斜視図である。
【図４】支持部の変形例を示す斜視図であり、（ａ）が外観斜視図、（ｂ）が分解斜視図である。
【図５】ボビンの一例を示す斜視図である。
【発明を実施するための形態】
【００１１】
以下、本発明の実施形態を図面に基づいて詳細に説明する。
本発明の実施形態に係る陳列什器Ａは、図１〜図５に示すように、什器本体１と、例えばホースやチューブなどの長尺物品Ｃが巻き取られた円筒状のボビンＢを回転自在に支持する支持部２とを備えている。
さらに、本発明の実施形態に係る陳列スタンドは、陳列什器Ａと、長尺物品Ｃが巻き取られる円筒状の芯筒（中芯）Ｂ１を有するボビンＢとから構成されている。ボビンＢは、その芯筒Ｂ１の内周面Ｂ２に沿って後述する支持部２を挿通することで回転自在に支持されるとともに、芯筒Ｂ１の外周面Ｂ３に沿って長尺物品Ｃが巻き取られている。
【００１２】
什器本体１は、図１及び図２に示されるように、上下（鉛直）方向へ延びる機枠１ａを有している。この機枠１ａは、例えば金属などの剛性材料からなる杆材や棒材や板材又はそれらの組み合わせなどで構成される。
機枠１ａには、ボビンＢの芯筒Ｂ１を支持するための支持部２が取り付けられる。
【００１３】
支持部２は、図１〜図４に示されるように、ボビンＢの芯筒Ｂ１に貫通状に挿通されて芯筒Ｂ１の内周面Ｂ２と対向する支持ローラ２ａを有し、什器本体１の機枠１ａに対して支持ローラ２ａを複数、それぞれの先端部２ｂが自由端となるとともに、それぞれの基端が固定端となるように片持ち状に突出させて取り付けている。
支持ローラ２ａは、遊転自在な回転面２ｃを有し、この遊転自在な回転面２ｃをそれぞれ芯筒Ｂ１の内周面Ｂ２において異なる個所に当接するように略平行に並べて配置されている。支持ローラ２ａの並列方向としては、ボビンＢの芯筒Ｂ１に巻かれた長尺物品Ｃを引き出し方向、すなわち横（略水平）方向に配置することが好ましい。
支持ローラ２ａの回転面２ｃとしては、支軸の外側に管体又は円筒体を回転自在に嵌挿するか、或いは円柱体を回転自在に支持することが好ましい。
【００１４】
支持ローラ２ａの先端部２ｂ側には、什器本体１の機枠１ａへ向けて斜め下方へ延びる支えアーム３を設け、この支えアーム３の下端を什器本体１、詳しくはその機枠１ａやそれに取り付けられる付属部品などに連結することで、支持ローラ２ａの取り付け状態を補強することが好ましい。
【００１５】
さらに、２本の支持ローラ２ａをそれらの間に間隔が空くように配置し、芯筒Ｂ１の内周面Ｂ２において支持ローラ２ａの当接個所とは異なる個所に当接する補助当接部４を設け、補助当接部４と支持ローラ２ａとで芯筒Ｂ１の内周面Ｂ２が三点支持されるように配置することが好ましい。
【００１６】
図１〜図４に示される例では、支持部２は、略平行に並んだ２本の支持ローラ２ａと、支持ローラ２ａの基端側に設けられるＴ字型のブラケット２ｄと、支持ローラ２ａの先端側に設けられるプレート２ｅとで構成され、支持ローラ２ａの先端部２ｂ側からブラケット２ｄの下端部に亘って、杆材や板材又は棒材などからなる支えアーム３を架設し、支えアーム３の端部をそれぞれ連結している。
支持ローラ２ａは、ブラケット２ｄの上端部とプレート２ｅとの間に挟持され、その遊転自在な回転面２ｃとして、支軸（図示しない）の外側に、環状の凹凸部が軸線方向へ連続して形成される管体を遊転自在に嵌挿している。
さらに、ブラケット２ｄの上端部とプレート２ｅとの間には、棒材や杆材又は板材などからなる補強部材２ｆを、支持ローラ２ａと略平行に１本又は複数本設けて、ブラケット２ｄとプレート２ｅと間を所定間隔に保持するとともに、支持部２を横方向から見た状態で、ブラケット２ｄと補強部材２ｆと支えアーム３が略三角形となるように配置することが好ましい。
さらに、支えアーム３には、芯筒Ｂ１の内周面Ｂ２に当接する補助当接部４を設けることが好ましい。
補助当接部４の具体例としては、支えアーム３においてブラケット２ｄの下端部に連結される下端の連結部分を、芯筒Ｂ１の内周面Ｂ２に当接する補助当接部４とすることが好ましい。
【００１７】
一方、ボビンＢの具体例としては、図５に示されるように、芯筒Ｂ１の外周面Ｂ３の両端に一対のフランジＢ４が周設される。ボビンＢの構成材料としては、例えば段ボールや厚紙を用いるか、又は合成樹脂などを用いることが好ましい。
特に、ボビンＢの芯筒Ｂ１に長尺物品Ｃとしてホースやチューブなどが巻き付けられる場合には、長尺物品Ｃの端部Ｃ１が芯筒Ｂ１に開穿された通孔Ｂ５を貫通して内周面Ｂ２から若干突出させることにより、ホースやチューブなどの製造時における圧縮空気の注入や芯筒Ｂ１に対する位置決めなどを可能にすることが好ましい。
【００１８】
このような本発明の実施形態に係る陳列什器Ａ及び陳列スタンドによると、図１に示すように、陳列什器Ａの什器本体１から支持部２として、それぞれの先端部２ｂが自由端となるように片持ち状に取り付けられる複数の支持ローラ２ａに対し、その先端部２ｂ側からボビンＢをその内周面Ｂ２が各支持ローラ２ａの回転面２ｃとそれぞれ当接するように挿入して係止させると、ボビンＢの芯筒Ｂ１が回転自在に支持される。
この支持状態で、芯筒Ｂ１の外周面Ｂ３に沿って巻回された長尺物品Ｃを、例えば略水平方向へ引き出し、それに伴ってボビンＢが回転しても、ボビンＢ及びそれに巻かれた長尺物品Ｃの重量で位置ズレしない。
それにより、陳列什器Ａの什器本体１に対してボビンＢのセット及び交換が容易で且つボビンＢをガタ付かずに安定保持することができる。
特に、支持ローラ２ａの遊転自在な回転面２ｃとして、環状の凹凸部が軸線方向へ連続して形成される管体を支軸の外側に遊転自在に嵌挿している場合には、ボビンＢの内周面Ｂ２や支軸の外周面との接触面積が減少して、ボビンＢをスムーズに回転支持できる。
【００１９】
さらに、支持ローラ２ａの先端部２ｂから什器本体１へ向け斜め下方へ延びる支えアーム３を設けて、支えアーム３の下端を什器本体１、詳しくはその機枠１ａやそれに取り付けられる付属部品など（図示例ではブラケット２ｄ）に連結した場合には、支持ローラ２ａ及びボビンＢの重量が支えアーム３で支持される。
それにより、簡単な構造でありながら支持ローラ２ａ及びボビンＢを安定保持することができる。
その結果、支持ローラ２ａの安定性に優れ、且つ支持ローラ２ａの補強構造を簡素化できてコストの低減化も図れる。
【００２０】
また、２本の支持ローラ２ａをそれらの間に間隔が空くように配置し、ボビンＢの内周面Ｂ２において支持ローラ２ａの当接個所とは異なる個所に当接する補助当接部４を設け、補助当接部４と支持ローラ２ａとでボビンＢの内周面Ｂ２が三点支持されるように配置した場合には、支持ローラ２ａ及び補助当接部４に対してボビンＢの内周面Ｂ２が、ボビンＢの径方向へ位置ズレ不能に支持される。
それにより、ボビンＢの位置ズレを完全に防止することができる。
その結果、ボビンＢの安定性に優れ、ボビンＢに巻かれた長尺物品Ｃを勢い良く引き出してもガタ付くことがない。
次に、本発明の一実施例を図面に基づいて説明する。
【実施例】
【００２１】
この実施例は、図１及び図２に示すように、陳列什器Ａが、什器本体１の機枠１ａを柱状に形成して、この機枠１ａの複数の表面にそれぞれ支持部２を上下方向へ複数個ずつ配置し、これらの支持部２に対してボビンＢをそれぞれ回転自在に支持したものである。
【００２２】
図１及び図２に示される例では、什器本体１の機枠１ａが、上下方向へ延びる複数の柱部材１ｂと、水平方向へ延びる複数の桟部材１ｃを相互に連結することで、上下方向へ所定間隔毎に桟部材１ｃを配置した四角柱状に形成されている。
この機枠１ａの背中合わせとなる両面には、複数種類の支持部２を３個ずつそれぞれ高さ調整自在に取り付け、これらの支持部２に対して外径の異なるボビンＢをそれぞれ回転自在に支持している。その具体例としては、上方の支持部２に、外径が小さくて比較的に軽量なボビンＢを回転自在に支持し、上下中間の支持部２には、外径が中位のボビンＢを回転自在に支持し、下方の支持部２には、外径が大きくて比較的に重いボビンＢを回転自在に支持している。
什器本体１として機枠１ａの下端部には、台座１ｄが連設され、この台座１ｄは、複数の杆材や棒材や板材又はそれらの組み合わせなどを格子状枠組するか、或いは平板状に連結することなどで形成されている。台座１ｄには、什器本体１の移動手段１ｅとして複数のキャスターなどが取り付けられている。
また、その他の例として図示しないが、機枠１ａを四角柱状に代えて三角柱状や多角柱状又は円柱状に形成したり、上下方向へ２個又は４個以上の支持部２をそれぞれ高さ調整自在に取り付けるか又は固定配置したり、台座１ｄに移動手段１ｅを設けず移動不能にすることも可能である。
【００２３】
さらに、複数種類の支持部２としては、長さが異なる支えアーム３を備えたものや、補助当接部４の構造が異なるものを取り付けている。
支持部２の一例としては、図１〜図３（ａ）（ｂ）に示されるように、支えアーム３の上端部をプレート２ｅと補強部材２ｆとの間に挟み込んで取り付け、支えアーム３の下端部とブラケット２ｄの下端部との連結部分に、補助当接部４として補助ローラ４ａを、支持ローラ２ａと略平行となるように遊転自在に配置している。補助ローラ４ａとしては、支軸（図示しない）の外側に、環状の凹凸部が軸線方向へ連続して形成される管体を遊転自在に嵌挿している。
支持部２の変形例としては、図１、図２及び図４（ａ）（ｂ）に示されるように、支えアーム３の上端部を補強部材２ｆの先端側に挿入して取り付け、支えアーム３の下端部をブラケット２ｄの下端部に沿って折り曲げ、例えば溶着などで固定するとともに、ブラケット２ｄの下端部における折り曲げ部分４ｂを、芯筒Ｂ１の内周面Ｂ２に当接する補助当接部４としている。
【００２４】
そして、機枠１ａに対する支持部２の高さ調整手段５としては、図３及び図４に示されるように、Ｔ字型のブラケット２ｄにおいて上端部の裏面に、鉤型に形成されたフック５ａと、フック５ａに向けて往復動自在に支持されたネジ５ｂとを備え、機枠１ａにおいて上下方向へ複数配置される桟部材１ｃに対し、ブラケット２ｄのフック５ａを係止させ、ネジ５ｂで挟持することにより、支持部２が着脱自在に取り付けられる。
また、その他の例として図示しないが、支持部２の高さ調整手段５として、フック５ａやネジ５ｂに代えて従来周知な着脱手段を設けることも可能である。
【００２５】
さらに、機枠１ａの下端部となる台座１ｄには、図１及び図２に示されるように、支持ローラ２ａに対するボビンＢのセット時と交換時において什器本体１を一時的に走行不能に固定するための手段として、什器本体１の設置床面Ｆと接地可能な足踏み式の移動防止手段６を設けることが好ましい。
【００２６】
足踏み式の移動防止手段６は、什器本体１の設置床面Ｆと対向するストッパー部６ａを有し、このストッパー部６ａが台座１ｄを構成する杆材や棒材などに対して、着脱自在又は上下方向へ移動可能に取り付けて、作業者がストッパー部６ａの表面を足踏みして体重を掛けることにより、ストッパー部６ａの裏面が什器本体１の設置床面Ｆに圧接して、両者間に大きな摩擦抵抗が発生するようにしている。
図１及び図２に示される例では、金属板や硬質合成樹脂板などの剛性部材又は弾性変形可能な材料からなる帯状板材を略Ｓ字型に折り曲げるか又は型成形などにより、その一端にストッパー部６ａが一体形成されるとともに、他端には機枠１ａの台座１ｄを構成する杆材や棒材などと着脱自在に係合する係止部６ｂとしてフックが一体形成され、台座１ｄに係止部６ｂとなるフックを係合した状態で、作業者がストッパー部６ａの表面を足踏みして体重を掛けることにより、ストッパー部６ａや係止部６ｂの僅かな弾性変形や台座１ｄとの取り付け部に生じる遊びなどで、ストッパー部６ａの裏面が什器本体１の設置床面Ｆへ向け接近移動して圧接するように配置している。
また、その他の例として図示しないが、フックなどの係止部６ｂに代えて、台座１ｄに対し上下方向へ往復動自在に支持されるスライド部をストッパー部６ａに連設し、作業者がストッパー部６ａの表面を足踏みして体重を掛けることにより、台座１ｄに対し前記スライド部が下動して、ストッパー部６ａの裏面が什器本体１の設置床面Ｆへ向け沈み込み圧接するように配置したり、予めストッパー部６ａが什器本体１の設置床面Ｆと接触するように配置することも可能である。
【００２７】
さらに、支持部２には、図１〜図４に示されるように、複数の支持ローラ２ａに対し、その先端部２ｂ側からボビンＢを挿入してボビンＢの芯筒Ｂ１が回転自在に係止された状態で、ボビンＢからの長尺物品Ｃの引き出しなどによって複数の支持ローラ２ａからボビンＢが抜け出して落下することを防止するための手段として、ボビンＢの落下防止手段７を設けることが好ましい。
【００２８】
ボビンＢの落下防止手段７は、支持ローラ２ａの先端部２ｂ側に落下防止材用の突起部７ａを有し、突起部７ａの少なくとも一部がボビンＢのフランジＢ４などに突き当たることで、支持ローラ２ａからボビンＢが抜け出ることを防止している。
図１〜図４に示される例では、金属棒などを逆Ｕ字型に屈曲した落下防止材用の突起部７ａと、突起部７ａの基端が着脱自在に嵌挿される孔状の保持部７ｂとを備え、孔状の保持部７ｂをプレート２ｅに形成し、図２に示されるように、支持部２となる複数の支持ローラ２ａにボビンＢを挿入して回転自在に係止された後に、突起部７ａを孔状の保持部７ｂに挿着することで、突起部７ａの先端がボビンＢのフランジＢ４に当接して、支持ローラ２ａからボビンＢが抜け出ることを防止している。
また、その他の例として図示しないが、落下防止材用の突起部７ａを略コの字形などの他の形状に形成したり、落下防止材用の突起部７ａを板材などで形成することも可能である。
【００２９】
このような本発明の実施例に係る陳列什器Ａ及び陳列スタンドによると、図１及び図２に示されるように、柱状に形成された機枠１ａの複数面に支持部２を上下方向へ複数個ずつ配置したので、コンパクトに多数のボビンＢを回転自在に支持することができて、専有面積の狭い売り場に好適であるという利点がある。
【００３０】
さらに、機枠１ａの下端部に什器本体１の移動手段１ｅが取り付けられる場合には、ボビンＢから長尺物品Ｃを引き出す際に、移動手段１ｅで什器本体１が移動して、ボビンＢから長尺物品Ｃをうまく引き出せないおそれがある。さらにまた、ボビンＢを回転自在に支持する支持部２として、什器本体１から片持ち状に突出して取り付けられる支持ローラ２ａに対し、ボビンＢを挿入して係止させる際には、芯筒Ｂ１の内周面Ｂ２が支持ローラ２ａの先端部２ｂに接触すると、その反動により移動手段１ｅで支持ローラ２ａが什器本体１と共に逃げ移動して、ボビンＢをうまく挿入できないおそれがある。
そこで、このような問題点を解決する方法としては、什器本体１に取り付けられる複数の移動手段１ｅのうち一部か又は総てをストッパー付きのキャスターにし、これら複数のストッパーを手動操作にすることで、什器本体１を一時的に走行不能に固定することが考えられる。
しかし、複数の移動手段１ｅのうち一部のみをストッパー付きのキャスターにした場合には、これらストッパーを手動操作しても、ストッパー機能のないキャスターがフリー状態なので什器本体１を安定させることができず、ボビンＢと支持ローラ２ａの接触により什器本体１が旋回移動するおそれがある。
また、複数の移動手段１ｅの総てを、ストッパー付きのキャスターにした場合には、これら総てのストッパーをそれぞれ手動で操作する作業は面倒であり、簡単で素早く走行不能に切り換えることができず、支持ローラ２ａに対してボビンＢを簡単で素早くセットしたり、交換することができない。
このため、足踏み式の移動防止手段６が、図１及び図２に示される例のように、ストッパー部６ａに台座１ｄと着脱自在に係合する係止部６ｂが一体形成された場合には、移動防止手段６の使用時のみ、図１に示されるように、台座１ｄの外側にストッパー部６ａを取り付け、移動防止手段６の不使用時には、図２に示されるように、台座１ｄの内部にストッパー部６ａを収納できるから、簡単な構造でありながら、支持ローラ２ａに対するボビンＢのセット時と交換時において什器本体１を確実に移動不能に固定することができるという利点がある。
【００３１】
さらに、図１〜図３に示されるように、支えアーム３の下端部とブラケット２ｄの下端部との連結部分に、補助当接部４として補助ローラ４ａを、支持ローラ２ａと略平行となるように遊転自在に配置している場合には、ボビンＢの内周面Ｂ２から若干突出した長尺物品Ｃの端部Ｃ１が引っ掛からず、スムーズに通過させることができるという利点がある。
すなわち、図５に示されるように、ボビンＢの芯筒Ｂ１に長尺物品Ｃとして巻き付けられたホースやチューブなどの端部Ｃ１が芯筒Ｂ１の通孔Ｂ５を貫通して若干突出している際に有効である。
【００３２】
また、図１〜図４に示されるように、支持部２にボビンＢの落下防止手段７を設けた場合には、ボビンＢからの長尺物品Ｃの引き出しなどにより支持ローラ２ａからボビンＢが抜け出して落下することがないので、安全に長尺物品Ｃを引き出すことができるという利点がある。
特に、落下防止手段７が、図１〜図４に示される例のように、落下防止材用の突起部７ａが保持部７ｂに対して着脱自在に取り付けられる場合には、図２に示されるボビンＢのセット時や交換時において、落下防止材用の突起部７ａが邪魔とならず、支持部２となる支持ローラ２ａに対しボビンＢを挿入して係止させる作業が容易になるとともに、ボビンＢを高く持ち上げる必要がないから、背の低い作業者でも確実にボビンＢのセットや交換が行えるという利点がある。
【００３３】
なお、前示実施例では、陳列什器Ａが、什器本体１の機枠１ａを柱状に形成し、その複数の表面にそれぞれ支持部２を上下方向へ複数個ずつ配置し、これらの支持部２に対してボビンＢをそれぞれ回転自在に支持したが、これに限定されず、什器本体１の機枠１ａを柱状に代えて面状などに形成したり、機枠１ａの一面のみに複数の支持部２を配置したり、機枠１ａとして一般にゴンドラ什器と呼ばれる什器などを利用することも可能である。
このゴンドラ什器とは、少なくとも２本以上の縦柱が左右方向へ所定間隔を置いて互いに略平行に立設されるとともに、これら縦柱の間に支持バーを水平状に架け渡すことで構成され、該支持バーに支持部２を支持しても良い。
【符号の説明】
【００３４】
Ａ  陳列什器                            １  什器本体
２  支持部                              ２ａ  支持ローラ
２ｂ  先端部                            ２ｃ  回転面
３  支えアーム                          ４  補助当接部
Ｂ  ボビン                              Ｂ１  芯筒
Ｂ２  内周面                            Ｂ３  外周面
Ｃ  長尺物品
【図１】
2012100709.tif 000003
【図２】
2012100709.tif 000004
【図３】
2012100709.tif 000005
【図４】
2012100709.tif 000006
【図５】
2012100709.tif 000007